(57)【要約】【課題】蓮根掘取装置を、蓮田の内部の水を高圧ポンプに取水するように構成した蓮根掘取装置において、蓮田内の水であっても高圧ポンプ等が詰まることの無いようにし、蓮根を掘り取るための水を安定して供給して良好な作業性を得るとともに、蓮田内を容易に移動すべく構成する。【解決手段】蓮田内の表面水層上を浮上した状態で移動可能とするフロート８上に載置し、泥水濾過装置１０を介して取水した水を、高圧ポンプ２２により吐出する構成の蓮根掘取装置１において、前記フロート８を後端のみを開口した平面視略Ｕ字型とし、前記フロート８の下方及び後方に、前記高圧ポンプ２２からの圧力水を吐出するジェット推進装置５５を配置した。【選択図】図４
2006223154.tif 000002
【特許請求の範囲】
【請求項１】
蓮田内の表面水層上を浮上した状態で移動可能とするフロート上に、エンジン・ポンプセット装置を載置し、前記フロートの後部に泥水濾過装置を配置し、該泥水濾過装置から吸水パイプを介して取水し、高圧ポンプにより高圧とした圧力水を、圧力水吐出ノズルから吐出するようにした蓮根掘取装置において、前記エンジン・ポンプセット装置の左右両側下方にフロートを配置し、該左右のフロートの間に前記泥水濾過装置を配置したことを特徴とする蓮根掘取装置。
【請求項２】
請求項１記載の蓮根掘取装置において、前記フロートを後端のみを開口した平面視略Ｕ字型としたことを特徴とする蓮根掘取装置。
【請求項３】
請求項１記載の蓮根掘取装置において、前記フロートの下方及び後方に、前記高圧ポンプからの圧力水を吐出するジェット推進装置を配置したことを特徴とする蓮根掘取装置。
【請求項４】
請求項３記載の蓮根掘取装置において、前記高圧ポンプからの圧力水は、掘り取り時は前記圧力水吐出ノズルへ供給し、推進時には、前記ジェット推進装置に供給すべくポンプの吐出口に切換手段を設けたことを特徴とする蓮根掘取装置。
【発明の詳細な説明】
【技術分野】
【０００１】
本発明は、蓮根を栽培する蓮田内において、移動しながら蓮根の掘り取り作業を行う蓮根掘取装置の構成に関する。
【背景技術】
【０００２】
従来から、蓮根掘取装置に関する公知技術においては、特許文献１の如く、蓮田内で移動する走行装置に、エアコンプレッサーを設けて、該エアコンプレッサーが吐出する圧搾空気をホースから供給して、蓮根の掘り取りを行うように構成していた。また、取水装置を設け、ある程度の水をも圧力を掛けて吐出して、圧搾空気と共に圧力水を吐出することも可能としていたのである。
また、特許文献２に記載の技術においては、着座用シートに座って蓮根等の収穫作業をする技術が開示されている。
【０００３】
蓮田は、図１０に図示する如く、硬い土壌である耕盤Ｄが最下部に存在し、その上に泥土層Ｆが１０〜２０センチ幅構成され、その上に泥と水が混合した状態の泥水層Ｇが４０〜５０センチ幅だけ存在し、その上には、泥が沈殿してある程度澄んだ状態の表面水層Ｗが１０センチ程度構成されているのである。
蓮根Ｒは、上記の中で１０〜２０センチ幅の泥土層Ｆに、水平方向に這うように成育されているのである。この蓮根Ｒを掘り取る際には、通常は掘り取り器具として、圧搾空気の吐出ノズルや、圧力水の吐出ノズルからの、圧力空気や圧力水の吐出による、泥土の掻上げにより、蓮根Ｒを泥土層Ｆに保持しておく保持力を無くして、浮き上がらせるという作業により収穫するのである。
【０００４】
掘り取り収穫作業は、正月を迎える冬期に行われるのが通常であり、非常に低温の厳寒の時期に行われるのである。また、蓮田の深さが全体として深いので、図９のように作業者Ｍは、胸までの防水作業衣を着た状態で、胸近くまで蓮田に沈んだ状態で作業を行うこととなり、非常に厳しい条件での作業となるのである。
【０００５】
従来、蓮根掘取装置を用いない場合は、作業者Ｍが足先で泥土層Ｆ内を探って、蓮根Ｒが存在する部分を足先で掻いて、蓮根Ｒを浮き上がらせるという作業を行っていたのである。
本発明においては、この足先での掘り取り作業を、圧力水を吐出することによる、泥土層Ｆの流動化により、蓮根Ｒが保持力を失って浮き上がってくるようにして収穫する装置を提供せんとするものである。
【０００６】
また、従来の蓮根掘取装置を用いた場合には、図８に示すような状態で作業をしていたのである。
蓮田Ｔの横を通る農道Ｑにトラック等に載せた状態の、エンジン・ポンプセット装置１２０を配置し、該農道Ｑの側方を流れる灌漑水通路Ｎから取水口Ｌを介して水をエンジン・ポンプセット装置１２０により汲み上げて、これを延長ホース１２１を介して、蓮根掘取装置１０１に供給していたのである。
この蓮根掘取装置１０１には、ホース１１４を介して圧力水吐出ノズル１１９が設けられている。そして、図９にも示すように、該圧力水吐出ノズル１１９を作業者Ｍが操作することにより、泥土層Ｆに圧力水を吐出して、泥土層Ｆ内の蓮根Ｒの保持力を無くして、浮かせるという掘り取り作業をしていたのである。
【０００７】
しかし、この従来の蓮根掘取装置１０１の場合には、次のような不具合が存在していたのである。
即ち、蓮田Ｔにおいては、例えば特許文献３に示されているような肥料散布装置が用いられ一反当たり１２０ｋｇという大量の蓮根Ｒを育てるための肥料が投入されており、この蓮田Ｔ内において、該大量の肥料が溶け込んでおり、泥水層Ｇも表面水層Ｗも泥土層Ｆも、この大量の肥料を含有した状態となっているのである。
この状態で圧力水吐出ノズル１１９により、蓮田Ｔの内部を掻き回すこととなるので、該蓮田Ｔの内部の水が流動することにより排水口Ｘから出ると、富栄養化した状態の排水が大量に排水路に流れ、湖水や河川を富栄養化するという環境問題が発生するのである。
【０００８】
特に、図８の蓮根掘取装置１０１の場合には、蓮田Ｔ内の表面水層Ｗからポンプへ取水するのではなくて、農道Ｑの側部の灌漑水通路Ｎから取水しているので、この清浄水を蓮田Ｔの内部に吐出すると、この灌漑水通路Ｎから取水しただけの量の水が、蓮田Ｔから排水口Ｘを経て、排水路から湖水や河川に流れ出るという不具合が発生していたのである。
この不具合を解消するためには、蓮田Ｔの内部の肥料を大量に含んだ表面水層Ｗの層の水を、圧力水吐出ノズル１１９からの吐出水とすることにより解消出来るのである。
しかし、蓮田Ｔには、蓮根Ｒの葉っぱの部分が枯れた状態で浮いており、またその他の多数の浮遊物が存在し、また、蓮田Ｔ内の泥水にも泥以外にも枯葉などの夾雑物が存在しているため、蓮田Ｔの内部の表面水層Ｗを取水すると、エンジン・ポンプセット装置１２０のポンプ等がすぐに詰まってしまうという不具合が発生するのである。すなわち、このようにポンプ等が詰まってしまうと、蓮根Ｒを掘り取るための水が安定して供給されず、蓮根Ｒの掘り取り作業性が低下するのである。
【０００９】
また、図８の蓮根掘取装置１０１は、蓮田Ｔの外に配置されるエンジン・ポンプセット装置１２０と延長ホース１２１を介して接続されるため、前記圧力水吐出ノズル１１９を操作する作業者に対する追従性が低く、作業者の負担も大きくなり、作業性の面で不具合があった。
【特許文献１】特開平１１−１０３６３３号公報
【特許文献２】特開２００１−２８６２１２号公報
【特許文献３】特開２００４−５７０８２号公報
【発明の開示】
【発明が解決しようとする課題】
【００１０】
本発明はこのような、蓮田Ｔ内の水を、エンジン・ポンプセット装置を用いて吸入し、蓮根Ｒを掘り取るための圧力水として吐水するものである。そして、このエンジン・ポンプセット装置を、蓮田Ｔ内で容易に移動できるようにし、この移動手段として、掘りとるための吐水を推進手段として利用できるように構成し、自走して作業者の負担を軽減することを目的とするものである。
【課題を解決するための手段】
【００１１】
本発明の解決しようとする課題は以上の如くであり、次にこの課題を解決するための手段を説明する。
【００１２】
即ち、請求項１においては、蓮田内の表面水層上を浮上した状態で移動可能とするフロート上に、エンジン・ポンプセット装置を載置し、前記フロートの後部に泥水濾過装置を配置し、該泥水濾過装置から吸水パイプを介して取水し、高圧ポンプにより高圧とした圧力水を、圧力水吐出ノズルから吐出するようにした蓮根掘取装置において、前記エンジン・ポンプセット装置の左右両側下方にフロートを配置し、該左右のフロートの間に前記泥水濾過装置を配置したものである。
【００１３】
請求項２においては、請求項１記載の蓮根掘取装置において、前記フロートを後端のみを開口した平面視略Ｕ字型としたものである。
【００１４】
請求項３においては、請求項１記載の蓮根掘取装置において、前記フロートの下方及び後方に、前記高圧ポンプからの圧力水を吐出するジェット推進装置を配置したものである。
【００１５】
請求項４においては、請求項３記載の蓮根掘取装置において、前記高圧ポンプからの圧力水は、掘り取り時は前記圧力水吐出ノズルへ供給し、推進時には、前記ジェット推進装置に供給すべくポンプの吐出口に切換手段を設けたものである。
【発明の効果】
【００１６】
本発明の効果として、以下に示すような効果を奏する。
【００１７】
請求項１においては、簡単な構成で、蓮田Ｔ内を移動できる蓮根掘取装置を実現することができる。また、蓮根掘取装置をフロートによって、蓮田Ｔ上を浮上させた状態で移動できるので、掘り取り作業をしながら、作業スピードに合わせて蓮根掘取装置を移動させることができる。また、ホイル式やクローラ式の走行装置を設けて、蓮田Ｔ内で自走させるよう構成した場合に比べて、部品点数が抑えられ、製造コストが低減される。また、左右のフロートの間に前記泥水濾過装置を配置したので、ゴミ等を吸い込み難くすることができる。
【００１８】
請求項２においては、フロートの容量が増して浮力が大きくなる。よって、作業者がフロートの上に乗ることも可能となる。また、左右両側にフロートが位置するので安定して支えることができる。
【００１９】
請求項３においては、フロートを自走させる推進装置として、フロートに搭載されたポンプを動力源とするジェット推進装置を用いることで、推進用のエンジンが不要となるので、構成が簡単となり、製造コストが低減される。
【００２０】
請求項４においては、高圧ポンプの圧力水を、掘り取り作業用と、推進用に利用することができ、ひとつの部品を多機能に利用することができ、そして、切換手段により容易に切り換えることができて、作業性を向上できる。
【発明を実施するための最良の形態】
【００２１】
次に、発明の実施の形態を図面に基づいて説明する。
図１は本発明の蓮根掘取装置１による掘り取り状態を示す図、図２は本発明の蓮根掘取装置１の全体側面図、図３は同じく本発明の蓮根掘取装置１の後面図、図４は同じく本発明の蓮根掘取装置１の平面図、図５は高圧ポンプ２２の給水回路を示すブロック図、図６は泥水濾過装置１０の構成を示す図、図７は同じく別実施形態を示す図、図８は従来の蓮根掘取装置１０１による掘り取り状態を示す図、図９は蓮田Ｔにおける掘り取り作業を示す図、図１０は蓮田Ｔの状況を示す断面図である。
【００２２】
図１〜図４において、本発明の蓮根掘取装置の構成について説明する。
蓮田Ｔにおいて、蓮根掘取装置１は、表面水層Ｗの部分において浮上させて、蓮田Ｔ内を容易に移動可能としているのである。
そして、蓮根掘取装置１には、表面水層Ｗの部分において浮上する浮力を得るためのフロート８が設けられている。該フロート８は平面視略Ｕ字型に構成され、後中央部から後方に開口し、該開口部分の内側に後述する泥水濾過装置１０を配置している。こうして泥水濾過装置１０を安定支持するとともに、吸水時にフロートにより前左右３方から浮遊するゴミ等が吸い込まれないようにしている。また、前左右方向から障害物等が泥水濾過装置１０に当たることも防止している。なお、フロートの後端は左右連結することも可能であるが、水中に潜ると推進の抵抗となるので開放した構成としている。フロート８の前後中央部から前方は左右のフロート部分を連結するものであり、この連結部上にエンジン・ポンプセット装置２０を配置している。フロート８前端は斜め前上方に突出し、前進時に前端が潜り込まないようにしている。
前記フロート８の上に、機体フレーム９を載置している。該機体フレーム９の上に、図６等の如く、防振装置６・６・・・を介装して、該防振装置６の上に、エンジン・ポンプセット装置２０のセットフレーム７を載置している。
そして、前記フロート８の下に、ジェットノズル４２・４２を配設している。ジェットノズル４２より、高圧ポンプ２２で得られた加圧水をジェット水として噴出することにより、フロート８を前進させる。
【００２３】
機体フレーム９は、機体左右方向を長手方向として前後に略平行に配置される横フレーム９ａ・９ａと、これら横フレーム９ａ・９ａの左右両端部において各フレーム９ａ・９ａ間に機体前後方向に架設される縦フレーム９ｂ・９ｂとを有している。そして、横フレーム９ａ・９ａ上に前記防振装置６・６・・・がそれぞれ配置固定され、これら防振装置６・６・・・上に正面視Ｌ字状の取付フレーム２８・２８を介して前記セットフレーム７が載置固定される。このような構成の機体フレーム９の下方において、前記フロート８が固定される。
【００２４】
また、セットフレーム７は、パイプ状の部材が四角状に折曲げ形成され左右両側部を構成する側部フレーム７ａ・７ａと、これら左右の側部フレーム７ａ・７ａの下辺部にて架設され前記エンジン・ポンプセット装置２０を載置する載置板７ｂと、側部フレーム７ａ・７ａの上部において前部及び後部に架設される横フレーム７ｃ・７ｃとを有しており、略直方体状の外形を構成している。
【００２５】
このような構成において、機体フレーム９上に配設される防振装置６・６・・・を介してセットフレーム７が載置固定され、該セットフレーム７の載置板７ｂ上に前記エンジン・ポンプセット装置２０が載置される。つまり、該エンジン・ポンプセット装置２０を構成するエンジン２１と高圧ポンプ２２の振動が、そのまま機体フレーム９やフロート８に伝達されることの無いように、セットフレーム７と機体フレーム９との間に防振装置６を介装しているのである。
【００２６】
また、機体フレーム９の後側には、軸受けトレイ３１が後方に向けて延設されており、該軸受けトレイ３１の下方に、泥水濾過装置１０が配置されている。
前述の如く、エンジン・ポンプセット装置２０は、エンジン２１と高圧ポンプ２２を一体的に構成している。そして、エンジン２１により高圧ポンプ２２を駆動すると共に、エンジン２１には発電機３０が付設されており、該発電機３０により発電した電力で駆動される駆動モータ１１が設けられている。該駆動モータ１１は減速機１２を介してフレキシブル駆動軸１３に動力を伝達し、該フレキシブル駆動軸１３が、泥水濾過装置１０の目詰まり防止体３を回転する動力として、前記軸受けトレイ３１に上下方向に軸支される入力カウンター軸１８に動力伝達すべく構成している。
前記駆動モータ１１と減速機１２をセットとしたものが、セットフレーム７の上部に固定されている。なお、セットフレーム７には、前記発電機３０により発電される電力を蓄えるバッテリ（図示略）を、前記載置板７ｂに載置すること等により搭載することもできる。
【００２７】
高圧ポンプ２２からは、泥水濾過装置１０に向けて吸水パイプ１７が延設されている。また、同じく高圧ポンプ２２からは、圧力水吐出ホース１４とジェットパイプ４１が延設されている。該圧力水吐出ホース１４は圧力水吐出ノズル１９に向けて延設され、該ジェットパイプ４１はジェットノズル４２に向けて延設されている。そして、高圧ポンプ２２の吐出口２３には、圧力水吐出ノズル１９への吐出と、ジェットノズル４２への吐出を切り替える切換弁４３が配設される。つまり、高圧ポンプ２２により、泥水濾過装置１０及び吸水パイプ１７を介して蓮田Ｔ内の水を取水し、この取水した水を圧力水吐出ホース１４を介して圧力水吐出ノズル１９、または、ジェットパイプ４１を介してジェットノズル４２より吐出する構成としている。
【００２８】
このような構成により、作業者Ｍは、図１に示すような状態で蓮根Ｒの掘り取り作業を行うのである。すなわち、蓮田Ｔ上に浮上した状態の蓮根掘取装置１を移動させながら、蓮田Ｔ内から泥水濾過装置１０及び吸水パイプ１７を介して取水される水を利用して、圧力水吐出ホース１４の先端部に設けられる圧力水吐出ノズル１９を操作しながら蓮根Ｒの掘り取り作業を行う。また、掘り取り作業を行わない時には、ジェットパイプ４１の先端部に設けられるジェットノズル４２より圧力水を噴出し、蓮根掘取装置１を推進させることも可能である。
【００２９】
図６において、泥水濾過装置１０の機構を説明する。
前述したように、圧力水吐出ノズル１９からは、掘り取り作業を行うための圧力水が吐出されるのであるが、この吐出される水が泥土層Ｆの部分を崩して、泥水を巻き上げるので、泥土層Ｆの上方においては、表面水層Ｗは澄んだ水ではなくて、表面水層Ｗと泥水層Ｇとが混ざって泥水の層となる。前記泥水濾過装置１０は、このような蓮田Ｔの中の水を取水する際に濾過するためのものである。すなわち、本発明に係る蓮根掘取装置１においては、この泥が混ざった状態の水を高圧ポンプ２２により取水する構成としているが、この泥水には泥以外にも枯葉などの夾雑物が存在しているため、泥を含めこのような夾雑物も泥水濾過装置１０において濾過する必要があるのである。
【００３０】
泥水濾過装置１０は、外周に多数の孔部２ａ・２ａ・・・を有する椀状孔開き濾過鉄板２により構成した椀状の外周体を構成している。そして、該椀状孔開き濾過鉄板２の上方開口部は、円板状の上面板４により閉じられており、該椀状孔開き濾過鉄板２の内部においては、内部から詰まり部分を外に放擲すべく、目詰まり防止体３が椀状孔開き濾過鉄板２の内周部分に沿うようにして設けられている。
【００３１】
目詰まり防止体３は、回転するブラシ３ａにより構成されており、該ブラシ３ａが放射状に複数ヶ所（４箇所又は６箇所又は８箇所）一定間隔を置いて配置されている。ここで、目詰まり防止体３を構成する各ブラシ３ａは、泥水濾過装置１０を介して取水される水の邪魔になったり取水量が低下したりすることのないように配置される。
【００３２】
また、泥水濾過装置１０においては、前記吸水パイプ１７に対して連通接続される筒軸２４が、前記軸受けトレイ３１に上下方向に軸支され固定され、平面視で略円形状となる泥水濾過装置１０の略中心部に（同一軸心となるように）配置されている。つまり、筒軸２４は、泥水濾過装置１０において中心軸となる。そして、この筒軸２４の下部において外周に開けた複数の孔２４ａから、椀状孔開き濾過鉄板２内に入った濾過後の水を吸水すべく構成している。該筒軸２４と椀状孔開き濾過鉄板２とは、それぞれの底面を介してボルトやピン等の固定具３５により固定されている。
【００３３】
前記目詰まり防止体３は、泥水濾過装置１０の上面を構成する回転上面板４に固設されており、該回転上面板４には前記した入力カウンター軸１８からチェーン２５を掛けて駆動されるスプロケット５が設けられている。つまり、入力カウンター軸１８は、前記軸受けトレイ３１の下方に突出しており、この突出部分にスプロケット１８ａが固設され、該スプロケット１８ａと前記スプロケット５とにチェーン２５が巻回されている。
【００３４】
前記スプロケット５は、上面板４の下方において筒軸２４に対して回転可能に外嵌される回転筒３２に上面板４を介してボルトやピン等の固定具３３により固定されている。また、この回転筒３２の周囲においては、有底筒状となる目詰まり防止体３がボルトやピン等の固定具３４により回転筒３２に固設されている。この有底筒状となる目詰まり防止体３の外周側面を構成するようにして前記ブラシ３ａが設けられ、このブラシ３ａがその先端部を椀状孔開き濾過鉄板２の孔部２ａ・２ａ・・・に内周側から接触する状態で配置される。
【００３５】
つまり、固定状態の筒軸２４に対してスプロケット５が回転自在に外嵌され、該スプロケット５と前記回転筒３２との間に上面板４が介装され、目詰まり防止体３が上面板４及び回転筒３２に固設されることにより、スプロケット５と上面板４と目詰まり防止体３とが一体的に構成されている。そして、これら一体的なスプロケット５と上面板４と目詰まり防止体３とが、前記筒軸２４の周囲にて該筒軸２４を中心として低回転で駆動されるのである。
【００３６】
このような構成において、駆動モータ１１からの動力が、減速機１２及びフレキシブル駆動軸１３を介して入力カウンター軸１８に伝達され、スプロケット１８ａが回転される。このスプロケット１８ａの回転が、チェーン２５を介してスプロケット５を回転させ、該スプロケット５とともに上面板４及び目詰まり防止体３が筒軸２４の周囲を回転する。これにより、目詰まり防止体３のブラシ３ａが、椀状孔開き濾過鉄板２の孔部２ａ・２ａ・・・上を内周部分に沿って回転する。
【００３７】
このように、蓮根掘取装置１において泥水濾過装置１０を構成することにより、蓮田Ｔ内の水を蓮根Ｒの掘り取り作業に利用する際に、取水する水の中の泥や夾雑物が原因で高圧ポンプ２２等が詰まることが無くなり、蓮根Ｒを掘り取るための水を安定して供給することができ、良好な作業性を得ることができる。
【００３８】
また、泥水濾過装置１０の目詰まり防止体３を回転するブラシ３ａにより構成することにより、簡単な構造で、泥水濾過装置１０の椀状孔開き濾過鉄板２の目詰まりを防止することができ、泥水濾過装置１０の濾過性能を向上することができる。
【００３９】
また、泥水濾過装置１０は、次のような構成とすることもできる。図７において、泥水濾過装置１０の別実施形態について説明する。なお、図６を用いて説明した泥水濾過装置１０の前記実施形態と同様の部材については、同一の符号を付してその説明を省略する。
【００４０】
本構成の泥水濾過装置１０においては、ブラシ３ａにより構成される目詰まり防止体３を固定した状態とし、椀状孔開き濾過鉄板２を回転する構成としている。すなわち、目詰まり防止体３は、固定された状態の筒軸２４にボルトやピン等の固定具３６によって外嵌固定される固定筒３７を介して該筒軸２４に固定される。そして、スプロケット５は、上面板４の下方において筒軸２４に対して回転可能に外嵌される回転筒３８に上面板４を介してボルトやピン等の固定具３９により固定されている。
【００４１】
また、上面板４の外縁部には、下方に向けて折曲げ形成される支持部４ａが形成されており、この支持部４ａに、椀状孔開き濾過鉄板２の上端部が内接した状態でボルトやピン等の固定具４０によって固着される。なお、上面板４と椀状孔開き濾過鉄板２との固着部における構成や固着方法は、本実施形態に限定されるものではない。例えば、椀状孔開き濾過鉄板２の上端部を上面板４の支持部４ａに外接させたり、椀状孔開き濾過鉄板２の上方を内側に折曲げ形成して椀状孔開き濾過鉄板２側に支持部を形成したりしてもよく、また、固着方法として溶接を用いることもできる。
【００４２】
つまり、固定状態の筒軸２４に対してスプロケット５が回転自在に設けられ、該スプロケット５と前記回転筒３８との間に上面板４が介装され、該上面板４に対して椀状孔開き濾過鉄板２が固着されることにより、スプロケット５と上面板４と椀状孔開き濾過鉄板２とが一体的に構成されている。そして、これら一体的なスプロケット５と上面板４と椀状孔開き濾過鉄板２とが、前記筒軸２４の周囲にて該筒軸２４を中心として低回転で駆動されるのである。
【００４３】
このような構成において、駆動モータ１１からの動力が、減速機１２及びフレキシブル駆動軸１３を介して入力カウンター軸１８に伝達され、スプロケット１８ａが回転される。このスプロケット１８ａの回転が、チェーン２５を介してスプロケット５を回転させ、該スプロケット５とともに上面板４及び椀状孔開き濾過鉄板２が筒軸２４の周囲を回転する。これにより、椀状孔開き濾過鉄板２が、目詰まり防止体３のブラシ３ａの外周部分に沿って回転する。つまり、椀状孔開き濾過鉄板２が回転することによって、その孔部２ａ・２ａ・・・に対してブラシ３ａが作用する。
【００４４】
このような構成によっても、簡単な構造で、泥水濾過装置１０の椀状孔開き濾過鉄板２の目詰まりを防止することができ、泥水濾過装置１０の濾過性能を向上することができる。
【００４５】
図１〜図５において、フロート８及びジェット推進装置５５について説明する。
図４に示すように、フロート８は、左右に配置される左フロート８Ｌと右フロート８Ｒが前部で接続されて、平面視略U字型となっている。このように、左右のフロート８Ｌ・８Ｒを後部で接続してU字型とすることで、フロートの浮力が大きくなり、作業者はフロート上に乗ることも出来る。
【００４６】
ジェット推進装置５５は、圧力水を噴出するジェットノズル４２・４２と、高圧ポンプ２２と、高圧ポンプ２２とジェットノズル４２・４２間に介装されるジェットパイプ４１・４１と、高圧ポンプ２２の吐出口２３の配置される切換弁４３によって構成される。
【００４７】
ジェットノズル４２・４２は、高圧ポンプ２２の吐出口２３から左右に延設されたジェットパイプ４１の先端に、回動可能に取り付けられており、左フロート８Ｌ・右フロート８Ｒの下方にそれぞれ配設される。つまり、泥水濾過装置１０の両側から後方に圧力水が吐出されるように構成している。このように構成することで、圧力水吐出の反作用で機体を前方へ推進させることができ、この圧力水で椀状孔開き濾過鉄板２の外周に吹きつけることにより、椀状孔開き濾過鉄板２の外周に付着したゴミ等を吹き飛ばすことが可能となり、清掃の手間を省くことができる。また、前記ジェットノズル４２・４２を、鉛直線の回りに回転させることにより、ジェット水の噴出方向を変えて、推進方向を変更可能としている。
【００４８】
ジェットパイプ４１は、高圧ポンプ２２の上部に設けられた吐出口２３より、フロート８下部まで延設されており、セットフレーム７や機体フレーム９等の間をくぐり抜けるよう配設されている。
【００４９】
前記高圧ポンプ２２の吐出口２３には一体的に切換弁４３が配置され、該切換弁４３は、図５に示すように、圧力水吐出ホース１４への吐出と、ジェットパイプ４１・４１への吐出とを切り替えるようにしている。切換弁４３には操作レバー４８が設けられ、該操作レバー４８は図示しない弁体と連結され、該操作レバー４８を回動することで圧力水吐出ホース１４とジェットパイプ４１・４１への吐出を切り換えられるようにしている。
【００５０】
すなわち、作業者Ｍは、蓮根の掘り取り作業をする際には、操作レバー４８を回動操作して、圧力水を圧力水吐出ホース１４へ導き、圧力水吐出ノズル１９から吐出する。掘り取り作業をやめて移動する際には、圧力水をジェットパイプ４１・４１へ導き、ジェットノズル４２から圧力水を吐出させ、この圧力水の吐出による推進力により蓮根掘取装置１を自走させることができる。このように、フロート８を自走させる推進装置として、フロート８に搭載された高圧ポンプ２２を動力源とするジェット推進装置５５を用いた場合には、推進用のエンジンや動力伝達機構や走行機構等が不要となるので、構成が簡単となり、製造コストが低減される。
【００５１】
なお、本実施例においては、ジェットノズル４２・４２を左右二箇所設ける構成としたが、ジェットノズル４２は必ずしも二つである必要はなく、一つ、もしくは三つ設けるよう構成してもよい。また、本実施例においては、左フロート８Ｌ・右フロート８Ｒの下方にジェットノズル４２・４２を配置しているが、ジェットノズルの配置場所は上記場所に限定されるものではなく、フロート８の後方に配置してもよい。
また、本実施例おいては、手動で操作する切換弁４３を用いているが、限定されるものではなく、切換弁４３を電磁バルブで構成して、該切換弁の操作スイッチを圧力水吐出ノズル１９のグリップ部に設けるように構成することも可能であり、この場合掘取作業中に本機を移動させたい場合等では操作が容易にでき、いちいち本機側に移動して操作する必要がなく作業性を向上できる。
さらに、本実施例においては、高圧ポンプ２２の吐出口２３に一箇所切換弁４３を設けて、圧力水吐出ノズル１９とジェットノズル４２の切換を行う構成としたが、圧力水吐出ノズル１９とジェットノズル４２それぞれにコックを設ける構成とすることもできる。
【００５２】
以上の如く、フロート８により蓮田Ｔ上を容易に移動可能な機体フレーム９上にエンジン・ポンプセット装置２０を載置し、取水する水を濾過する泥水濾過装置１０を機体フレーム９よりも下方の蓮田Ｔ内に配置し、蓮根Ｒを掘り取るための水を、蓮田Ｔ内から泥水濾過装置１０及び吸水パイプ１７を介して取水するとともに高圧ポンプ２２により加圧し、圧力水吐出ノズル１９から吐出する構成としたので、蓮田Ｔ内の水を、蓮根Ｒの掘り取り作業に使用することにより、別の位置に配置したエンジン・ポンプセット装置２０から長い圧力水ホースにより送水して、蓮根Ｒの掘り取りをする必要がなくなったのである。故に、作業労力が軽減するとともに作業性が向上するのである。
【００５３】
また、図１に示す如く、蓮根Ｒを掘り取るための水は、蓮田Ｔ内から取水して、圧力水吐出ノズル１９により蓮田Ｔ内に吐出することにより、富栄養化した蓮田Ｔ内の用水を外部に流出させない構造としたので、蓮根Ｒを掘り取るための圧力水を外部から取水して注入することが無くなり、蓮田Ｔの内部に溜まっている富栄養水を、排水口Ｘから蓮田Ｔの外へ押し出すことが無くなるので、該蓮田Ｔからの排水が流れ込む河川や湖水を富栄養化するという環境問題を発生することが無くなる。
【図面の簡単な説明】
【００５４】
【図１】本発明の蓮根掘取装置１による掘り取り状態を示す図。
【図２】本発明の蓮根掘取装置１の全体側面図。
【図３】同じく本発明の蓮根掘取装置１の後面図。
【図４】同じく本発明の蓮根掘取装置１の平面図。
【図５】高圧ポンプ２２の給水回路を示すブロック図。
【図６】泥水濾過装置１０の構成を示す図。
【図７】同じく別実施形態を示す図。
【図８】従来の蓮根掘取装置１０１による掘り取り状態を示す図。
【図９】蓮田Ｔにおける掘り取り作業を示す図。
【図１０】蓮田Ｔの状況を示す断面図。
【符号の説明】
【００５５】
１    蓮根掘取装置
８    フロート
９    機体フレーム
１０  泥水濾過装置
１７  吸水パイプ
１９  圧力水吐出ノズル
２０  エンジン・ポンプセット装置
２１  エンジン
２２  高圧ポンプ
４３  切換弁
５５  ジェット推進装置
Ｒ    蓮根
Ｔ    蓮田
【図１】
2006223154.tif 000003
【図２】
2006223154.tif 000004
【図３】
2006223154.tif 000005
【図４】
2006223154.tif 000006
【図５】
2006223154.tif 000007
【図６】
2006223154.tif 000008
【図７】
2006223154.tif 000009
【図８】
2006223154.tif 000010
【図９】
2006223154.tif 000011
【図１０】
2006223154.tif 000012